(57)【要約】【課題】踵の追随性に優れ歩き易く且つ履き易い靴を提供すること。【解決手段】足入れ部５に、使用者の踵を包み込むヒールカウンター７が配されており、ヒールカウンター７は、使用者の足裏と対向する踵下部ソール７１と、該踵下部ソール７１の周縁又はその近傍から起立した踵側壁部７２とを含んで構成されている。靴底２の後端２ｒに近接するヒールカウンター７の後方下端部７ｒｄが該靴底２又はアッパー４に連結され、その連結部８を回動支軸として、踵下部ソール７１と踵側壁部７２とのなす角度を一定に保持したまま、該ヒールカウンター７が回動可能に構成されている。ヒールカウンター７は、着用時には、踵下部ソール７１が靴底２上にて該靴底２と平行になって正立状態となり、非着用時には、該正立状態から該ヒールカウンター７を回動させて踵側壁部７２を後傾させることで後傾状態となる。【選択図】図１
2015047266.tif 000002
【特許請求の範囲】
【請求項１】
使用者の足を下方から支持する靴底と、該靴底の周縁又はその近傍から起立し、履き口から挿入された使用者の足を側方及び上方から被覆するアッパーとを備え、該靴底と該アッパーとで画成され、使用者の足を収容する足入れ部を有する靴であって、
前記足入れ部に、使用者の踵を包み込むヒールカウンターが配されており、該ヒールカウンターは、使用者の足裏と対向する踵下部ソールと、該踵下部ソールの周縁又はその近傍から起立した踵側壁部とを含んで構成されており、
前記靴底の後端に近接する前記ヒールカウンターの後方下端部が該靴底又は前記アッパーに連結され、その連結部を回動支軸として、前記踵下部ソールと前記踵側壁部とのなす角度を一定に保持したまま、該ヒールカウンターが回動可能に構成されており、
前記ヒールカウンターは、着用時には、前記踵下部ソールが前記靴底上にて該靴底と平行になって正立状態となり、非着用時には、該正立状態から該ヒールカウンターを回動させて前記踵側壁部を後傾させることで後傾状態となる靴。
【請求項２】
前記踵下部ソールと前記靴底との間に、前記ヒールカウンターの正立状態において該踵下部ソールを該靴底に脱着自在に止着する止着手段が設けられている請求項１記載の靴。
【請求項３】
前記足入れ部に、着用時に前記靴底及び前記踵下部ソールと使用者の足裏との間に介在され、該足裏全体を被覆可能な大きさを有する中敷が配されており、該中敷は、前記ヒールカウンターに固定され、該ヒールカウンター以外の他の靴構成部材には固定されていない請求項１又は２記載の靴。
【請求項４】
前記踵下部ソールと前記靴底との間に板バネ状弾性部材が配されており、該板バネ状弾性部材は、自然状態で前後方向中央部が前後端部よりも上方に位置するように湾曲した状態となり、該板バネ状弾性部材がその湾曲状態となることによって前記ヒールカウンターの後傾状態が実現するようになされており、
前記ヒールカウンターの後傾状態において前記履き口から足を挿入して着用したときに、前記板バネ状弾性部材の湾曲状態が解消されると共に、該板バネ状弾性部材に、該踵下部ソールを押し上げる付勢力が生じるようになされている請求項１〜３の何れか一項に記載の靴。
【発明の詳細な説明】
【技術分野】
【０００１】
本発明は、着用時に踵を包み込む踵部を有する靴に関する。
【背景技術】
【０００２】
踵部を有する靴を履くときに、踵の背面を覆う該踵部の後方上端部が使用者の足に干渉して、履き口から足を挿入し難い場合がある。使用者がこのような履きにくい靴を履くには、屈んだ姿勢をとり、靴の踵部の後方上端部を指で後方に引っ張る等して、足の挿入前に履き口を広くしておく必要があり、靴を履くのに手間がかかる。特に革靴のような、踵部が比較的硬い靴は、踵部を引っ張って履き口を広くすることが困難であり、履きにくさが問題となる場合が少なくない。また、高齢者がこのような履きにくい靴を履こうとすると、バランスを崩して転倒するおそれがあり危険が伴う。
【０００３】
履き易さの向上を図った技術に関し、例えば特許文献１には、踵部の一部が履いた足の踵に対して、離れる方向に移動可能に構成された靴が記載されている。この移動可能に構成された踵部は、靴の前後方向の略中央を搖動支点として搖動可能に構成され、使用者の踵の外側面及び内側面並びに背面を覆ういわゆる月型部を具備しているが、踵を足裏側から支持する部分は具備していない。また特許文献２には、踵部をカットしてスリッパ型にした靴が記載されている。このスリッパ型の靴は、履く前は、甲の両サイドが開き、踵部と共に後ろに倒れスリッパ状になっており、履いた後に踵部を元に戻すと、甲の両サイド部も元に戻るようになされており、踵部と甲の両サイドそれぞれとはマジックテープ（登録商標）で固定可能になされている。
【０００４】
また特許文献３には、使用者の足を下方から支持する靴底と、使用者の足を側方及び上方から被覆するアッパーとを有する靴において、アッパーにおける甲部と踵上部とを切り離し、靴底は、非着用時において足の挿入が容易なように、前後中央で折り曲げて、への字の形状とし、且つ靴底に、足の挿入後に体重により弾性変形で平坦になるような弾性を付与したものが記載されている。甲部と踵上部とは、足の挿入後に締結手段により締結可能になされている。
【先行技術文献】
【特許文献】
【０００５】
【特許文献１】特開２００７−１５２０６６号公報
【特許文献２】特開２００５−１７７３９４号公報
【特許文献３】特開２００６−３３４３５９号公報
【発明の概要】
【発明が解決しようとする課題】
【０００６】
特許文献１記載の靴は、着用時に使用者の足裏に対応する靴底と、搖動可能な踵部の月型部とが一体とされておらず、使用者の踵を包み込む部分が一体的に移動しないため、踵の追随性に劣り、使用者の足との一体感が得られ難く、踵の背面が擦れて履き易さや歩き易さに劣る。特許文献２記載のスリッパ型の靴も、踵部の保形性が不十分で踵の追随性に劣る。特許文献３記載の靴は、靴底における使用者の土踏まずに対応する土踏まず対応部で屈曲するため、靴の基本性能が保たれない。通常、靴底の土踏まず対応部は、屈曲しないようにわざわざシャンクと呼ばれる補強部材が組み込まれる部分であり、該土踏まず対応部が屈曲する特許文献２記載の靴は、履いた状態で踏み込みや蹴り出し等の動作を行ったとき等に靴底部が意図せずに屈曲するおそれがあり、安全性が高いとは言い難い。特許文献３記載の靴において、使用中の屈曲を防止し得るのは、アッパーにおける甲部と踵上部との締結手段のみであり、このような靴の構造では、耐久性に劣り十分な剛性が保たれず、使用者の踵が微動する踵部で擦られ、靴擦れを引き起こすおそれがある。
【０００７】
本発明は、踵の追随性に優れ歩き易く且つ履き易い靴に関する。
【課題を解決するための手段】
【０００８】
本発明は、使用者の足を下方から支持する靴底と、該靴底の周縁又はその近傍から起立し、履き口から挿入された使用者の足を側方及び上方から被覆するアッパーとを備え、該靴底と該アッパーとで画成され、使用者の足を収容する足入れ部を有する靴であって、前記足入れ部に、使用者の踵を包み込むヒールカウンターが配されており、該ヒールカウンターは、使用者の足裏と対向する踵下部ソールと、該踵下部ソールの周縁又はその近傍から起立した踵側壁部とを含んで構成されており、前記靴底の後端に近接する前記ヒールカウンターの後方下端部が該靴底又は前記アッパーに連結され、その連結部を回動支軸として、前記踵下部ソールと前記踵側壁部とのなす角度を一定に保持したまま、該ヒールカウンターが回動可能に構成されており、前記ヒールカウンターは、着用時には、前記踵下部ソールが前記靴底上にて該靴底と平行になって正立状態となり、非着用時には、該正立状態から該ヒールカウンターを回動させて前記踵側壁部を後傾させることで後傾状態となる靴である。
【発明の効果】
【０００９】
本発明の靴は、踵の追随性に優れ歩き易く且つ履き易い。従って、本発明の靴は、靴を履く際に転倒のおそれがある高齢者も安心して使用することができる。
【図面の簡単な説明】
【００１０】
【図１】図１は、本発明の靴の第１実施形態の片方（左足用）の模式的な斜視図であり、図１（ａ）はヒールカウンター正立状態の図、図１（ｂ）はヒールカウンター後傾状態の図である。
【図２】図２は、図１に示す靴の模式的な断面図であり、図２（ａ）は足入れ部に足が収容された状態でのヒールカウンター正立状態の図、図２（ｂ）はヒールカウンター後傾状態の図である。
【図３】図３は、図１に示す靴のヒールカウンター正立状態における模式的な左側面図である。
【図４】図４は、図１に示す靴におけるヒールカウンターの斜視図である。
【図５】図５は、本発明の靴の第２実施形態の片方（左足用）の模式的な断面図であり、図５（ａ）はヒールカウンター正立状態の図、図５（ｂ）はヒールカウンター後傾状態の図である。
【発明を実施するための形態】
【００１１】
以下、本発明をその好ましい実施形態に基づき、図面を参照しながら説明する。図１〜図３には、本発明の靴の第１実施形態の片方（左足用）が示されている。尚、以下では、本発明の靴の片方（左足用）について主に説明するが、特に断らない限り、以下の説明は残りの片方（右足用）にも適用される。第１実施形態の靴１Ａは、使用者の足を下方から支持する靴底２と、該靴底２の周縁又はその近傍から起立し、履き口３から挿入された使用者の足を側方及び上方から被覆するアッパー４とを備え、該靴底２と該アッパー４とで画成され、使用者の足を収容する足入れ部５を有する。靴底２とアッパー４とは、縫着、接着剤等の接合手段により一体とされている。
【００１２】
靴底２は、使用者の足裏（足底）を覆う部分であり、使用者の足裏全体を被覆可能な大きさを有している。靴底２は、床面に付着した水分や油分等の靴内部への浸透を遮断し得るよう構成され、単層構造でも多層構造でも良い。多層構造の靴底２の一例として、接地面（歩行面）を構成するアウトソールと、該アウトソールの上面側（足裏側）に配され、発泡ウレタン等の柔軟でクッション性のある素材から形成されたミッドソール（中物）とを具備するものが挙げられる。接地面となる靴底２の下面（図示せず）には、所定の凹凸パターンが形成されており、靴１Ａを履いて濡れた床面の如き滑りやすい床面を歩いても、滑ることなく所望の動作をし得るようになされている。靴底２の素材は特に制限されず、従来用いられている種々のものを用いることができ、例えば、ゴム、合成樹脂、熱可塑性エラストマー、天然、合成皮革等が挙げられる。
【００１３】
図３に示すように、靴底２における、使用者の土踏まずに対応する土踏まず対応部には、補強部材としてシャンク６が配されており、これにより、着用時における土踏まず対応部の変形が抑制され、靴１Ａの履き心地が高められる。シャンク６は、平面視長方形形状の板状部材であり、靴底２の土踏まず対応部にはめ込まれている。シャンク６は、靴底２よりも高剛性な材料から形成され、通常スチール等の金属材料からなる。
【００１４】
アッパー４は、使用者の足における足裏より上方に位置する部分を覆う部材であり、第１実施形態においては、該部分全体を被覆可能な袋状をなしている。アッパー４は、図２及び図３に示すように、使用者の足のつま先及びその近傍を覆うアッパー前方部４１と、足表（足背）における足首寄りの部分（土踏まずの上方に位置する部分）を覆うアッパー中央部４２と、踵の背面及び左右両側面を覆うアッパー後方部４３とを有している。履き口３は、アッパー中央部４２及びアッパー後方部４３それぞれの上端部によって画成されている。
【００１５】
アッパー４は、縫製可能な種々のパーツを重ね合わせて形成することができる。アッパー４の一例として、靴１Ａの外面を形成するアウター部材と、使用者の足又は靴下と接する内面を形成するインナー部材と、これら両部材間に配されたクッション材とを有するものが挙げられる。アッパー４の素材は特に制限されず、従来用いられている種々のものを用いることができ、例えば、天然あるいは人工皮革、合成樹脂、布等が挙げられる。
【００１６】
図１、図２及び図４に示すように、足入れ部５には、使用者の踵を包み込むヒールカウンター７が配されている。ヒールカウンター７は、使用者の足裏と対向する板状の踵下部ソール７１と、該踵下部ソール７１の周縁から起立した踵側壁部７２とを含んで構成されている。踵下部ソール７１は、使用者の足裏後端から土踏まずに至る前までの部位に対応し、足裏全体に対応する靴底２よりも前後方向（図２及び図３の左右方向）の長さが短い。踵側壁部７２は、使用者の踵の背面に対応する部分（図４中点線を付した部分）を境界として、踵の外側面を覆う外側壁部７２ａと踵の内側面を覆う内側壁部７２ｂとに分けられる。両壁部７２ａ，７２ｂは、それぞれ、前側（つま先側）に向かうに従って踵下部ソール７１の上面から起立高さが漸次低くなる部分を有している。図２（ａ）に示す如き正立状態のヒールカウンター７の側面視において、両側壁部７２ａ，７２ｂそれぞれの上端面７２ｓ（図２及び図４参照）は、斜め上方に向かって凸の湾曲形状を有している。また、図２（ａ）に示す如き正立状態のヒールカウンター７の側面視において、踵側壁部７２における、使用者の踵の背面に対応する部分及びその近傍（図４中点線を付した部分及びその周辺部。踵側壁部７２の後端部。）は、後方に向かって凸の湾曲形状を有している。踵側壁部７２の各部がこのような湾曲形状を有していることにより、ヒールカウンター７は使用者の踵をしっかりと保持することができる。踵下部ソール７１と踵側壁部７２とは互いに固定されており、これらのなす角度は常時一定である。ヒールカウンター７は、それぞれ別体の踵下部ソール７１と踵側壁部７２とが縫着、接着剤等の接合手段により接合されて一体となったものでも良く、踵下部ソール７１と踵側壁部７２とが一体的に成形されたものでも良い。
【００１７】
ヒールカウンター７は、図２に示すように、踵側壁部７２の外面とアッパー４（アッパー後方部４３）の内面とが接触するように、足入れ部５に配されている。踵側壁部７２とアッパー後方部４３とは、両者の接触部の全部又は一部において、縫着、接着剤等の接合手段により一体とされていても良い。
【００１８】
ヒールカウンター７の素材としては、使用中にヒールカウンター７が変形することのないような保形性に優れる素材が好ましく、例えば、合成樹脂、革、硬化ゴム、金属、並びにそれらの複合材等が挙げられる。ヒールカウンター７は、これを包囲するアッパー後方部４３と比較して相対的に剛性の高い素材で構成することができる。例えば、ヒールカウンター７の素材を合成樹脂とし、アッパー後方部４３の素材を布地、皮革等とすることができる。
【００１９】
第１実施形態の主たる特徴の１つとして、図２に示すように、靴底２の後端２ｒに近接するヒールカウンター７の後方下端部７ｒｄが靴底２又はアッパー４に連結されて連結部８を形成し、その連結部８を回動支軸として、踵下部ソール７１と踵側壁部７２とのなす角度を一定に保持したまま、ヒールカウンター７が靴底２の上方を回動可能に構成されている点が挙げられる。ヒールカウンター７の後方下端部７ｒｄは、靴底２及びアッパー４の両方に連結していても良く、何れか一方のみに連結していても良く、また、靴底２又はアッパー４との間に他の部材を介さずに直接連結していても良く、他の部材を介して連結していても良い。また、ヒールカウンター７と靴底２又はアッパー４との連結形態は特に制限されず、両者が一体となっていれば良く、それぞれ別体のヒールカウンター７と靴底２又はアッパー４とが縫着、接着剤等の接合手段により一体とされた形態でも良く、ヒールカウンター７と靴底２又はアッパー４とが一体的に成形された形態でも良い。第１実施形態においては、図２に示すように、ヒールカウンター７の後方下端部７ｒｄは、靴底２及びアッパー４（アッパー後方部４３）の両方に連結しており、靴底２に対しては後述する止着手段９を介して連結し、アッパー後方部４３に対しては他の部材を介さずに直接連結している。
【００２０】
このような回動可能なヒールカウンター７を備える靴１Ａにおいて、ヒールカウンター７は、足入れ部５に足が収容されている着用時には、踵下部ソール７１が靴底２上にて該靴底２と平行になって正立状態となり（図１（ａ）及び図２（ａ）参照）、非着用時には、該正立状態から該ヒールカウンター７を回動させて踵側壁部７２を後傾させることで後傾状態となる（図１（ｂ）及び図２（ｂ）参照）。このヒールカウンター７の正立状態から後傾状態への変化の過程で、履き口３を画成するアッパー後方部４３の後方上端部４３ｒｕ（図２参照）が踵側壁部７２に押されて後傾することにより、履き口３が前後方向に拡がるので、ヒールカウンター７の後傾状態は正立状態に比して履き口３が拡大されており、履き口３から足を挿入し易く、靴１Ａを履き易い着用可能状態である。ヒールカウンター７を正立状態から後傾状態にするには、足入れ部５に足が収容されていない非着用時に、アッパー後方部４３の後方上端部４３ｒｕを指で摘まんでこれを後方に引けば良い。また、ヒールカウンター７を後傾状態から正立状態にするには、通常靴を着用するときと同様に、履き口３から足を挿入し足裏で靴底２全体を踏み込めば良い。ヒールカウンター７の後傾状態において、履き口３から足を挿入し、前端７１ｆが靴底２の上面から浮き上がった状態にある踵下部ソール７１を踵で踏み込むと、踵下部ソール７１が靴底２と平行になる過程でこれと一体となっている踵側壁部７２が立ち上がり、これによって履き口３が前後方向に縮まって、ヒールカウンター７は正立状態となる。尚、ヒールカウンター７を後傾状態から正立状態にするのは、靴１Ａを着用せずに、手でヒールカウンター７を前側に押して回動させることでも可能である。
【００２１】
このように靴１Ａは、ヒールカウンター７が回動することによって履き口３が拡縮するようになされているが、その拡縮の過程で靴底２及びヒールカウンター７は実質的に変形せず、踵下部ソール７１と踵側壁部７２とのなす角度は常時一定のままである。従って、靴１Ａの着用中は、ヒールカウンター７によって使用者の踵がしっかりと保持され、ヒールカウンター７が踵に正確に追随するので、靴入れ部５の後部での摩擦による靴擦れ、着地時の横方向のズレが防止され、蹴り出しの違和感が少なく、歩き易い。
【００２２】
第１実施形態においては、アッパー４においてヒールカウンター７を包囲する部分であるアッパー後方部４３が、靴１Ａの前後方向に伸縮性を有している。従って、ヒールカウンター７を正立状態から回動させて後傾状態にすると、踵側壁部７２によってアッパー後方部４３が後方に引っ張られて伸長し、ヒールカウンター７の回動を妨げることがない。また、踵側壁部７２が後傾した状態からこれを前側に回動させると、伸長状態のアッパー後方部４３が収縮してヒールカウンター７は正立状態に戻る。第１実施形態においては、アッパー後方部４３のみが伸縮性を有しており、アッパー４の他の部分（アッパー前方部４１及びアッパー中央部４２）は伸縮性を有していないが、該他の部分の一部又は全部も伸縮性を有していても良い。伸縮性を有するアッパー４の素材としては、例えば、布、皮革、合成樹脂等が挙げられる。尚、本発明に係るアッパーには、前述したようにヒールカウンターの回動をより確実に行う観点から、好ましい特性として伸縮性が求められるので、その素材としては、伸縮性のある布、合成皮革、ゴム素材等の伸縮素材が好ましいが、アッパーの全部が伸縮素材である必要はない。アッパーの大部分が実質的に伸縮性の乏しい非伸縮素材（例えば革製）であっても、該アッパーの他の一部に伸縮素材、例えばゴム入りの布や発泡ウレタン等を用いることにより、ヒールカウンターの回動を邪魔しないことが可能であるからである。アッパーを伸縮素材と非伸縮素材との複合構造にすることで、前述した本発明の工夫（ヒールカウンターの回動）がより確実に実現される一方で、素材選択の自由度が高いことから、靴の外観をファッション性の高いデザインとすることが可能となり、例えばオーソドックスな紳士靴、婦人靴の外観とすることが可能となる。
【００２３】
図１及び図２に示すように、踵下部ソール７１と靴底２との間には、図２（ａ）に示す如きヒールカウンター７の正立状態において踵下部ソール７１を靴底２に脱着自在に止着する止着手段９が設けられている。このような止着手段９が設けられていることにより、靴１Ａの着用中においてはヒールカウンター７を構成する踵下部ソール７１が靴底２の上面に固定されるため、ヒールカウンター７がその後方下端部７ｒｄ（連結部８）を回動支軸として意図せずに回動する不都合が防止され、歩行中にヒールカウンター７がばたばた動くことがなく、歩き易さが一層向上する。止着手段９としては、例えば、面ファスナー、繰り返し使える粘着素材、小型の金属製スナップ、磁石シート等が挙げられる。これらの中でも特に面ファスナーは、長時間履いても足に違和感なくフィットするため、本発明で好ましく用いられる。とりわけ、３Ｍ社のデュアルロックファスナーに代表される、樹脂性の釘頭構造を持った面ファスナーは、十分な強度を持ちズレを生じさせないことから履き心地の面でも耐久性の面でもより好ましい。
【００２４】
第１実施形態においては、止着手段９として面ファスナーが採用されており、踵下部ソール７１の下面には、面ファスナーの一方の面であるループ面９１が設けられ、靴底２の上面における踵下部ソール７１の下面に対応する部分には、ループ面９１と脱着可能に結合するフック面９２が設けられているが、これとは逆に、踵下部ソール７１の下面にフック面９２を設け、靴底２の上面における踵下部ソール７１の下面に対応する部分にループ面９１を設けても良い。面ファスナーである止着手段９は、図２に示すように、相対向する２枚の板状部材９３，９４を具備し、これら２枚の板状部材９３，９４はそれらの端部で連結され、その連結部９５を回動支軸としてそれらの内面どうしが接離自在に回動するように構成されており、接離自在になされている２枚の板状部材９３，９４の内面の一方がループ面９１、他方がフック面９２となっている。止着手段９（板状部材９３，９４）は、連結部９５を靴底２の後端２ｒに近接させて、踵下部ソール７１の下面及び靴底２の上面それぞれに縫着、接着剤等の接合手段により固定されており、ヒールカウンター７の回動に連動して２枚の支持部材９３，９４が接離自在に回動するようになされている。
【００２５】
図１及び図２に示すように、足入れ部５には、着用時に靴底２及び踵下部ソール７１と使用者の足裏との間に介在され、使用者の足裏全体（靴底２の上面全域）を被覆可能な大きさを有する中敷１０（インナーソール）が配されている。中敷１０は、縫着、接着剤等の接合手段によりヒールカウンター７に固定され、ヒールカウンター７以外の靴１Ａの他の構成部材（靴底２、アッパー４）には固定されておらず、中敷１０によってヒールカウンター７の回動が妨げられないようになされている。より具体的には、中敷１０は、靴底２及び踵下部ソール７１それぞれの上面を被覆するように足入れ部５に配され、且つヒールカウンター７と接触する部分（使用者の足裏の踵側に対応する中敷後方部）の全部又は一部においてヒールカウンター７（踵下部ソール７１の上面及び／又は踵側壁部７２の内面）に固定され、その固定部以外の他の部分（使用者の足裏のつま先側に対応する中敷前方部、及び土踏まずに対応する中敷中央部における該中敷前方部寄りの部分）は、靴１Ａを構成する他の靴構成部材に固定されておらず非固定部となっている。
【００２６】
中敷１０の前端１０ｆは、ヒールカウンター７の正立状態では図２（ａ）に示すように、足入れ部５の前端５ｆと略同位置に存しているが、ヒールカウンター７の後傾状態では図２（ｂ）に示すように、中敷１０の後方部（ヒールカウンター７との接触部分）が踵下部ソール７１によって押し上げられることにより、着用可能状態における位置から後退する。この後傾状態からヒールカウンター７を回動させて、後傾している踵側壁部７２を前側に起立させると、中敷１０の前端１０ｆは、後傾状態における位置から前進し、足入れ部５の前端５ｆと略同位置に戻る。このように、第１実施形態においては、ヒールカウンター７の回動に伴い、中敷前方部（前端１０ｆ及びその近傍）が靴１Ａの前後方向に移動可能になされている。
【００２７】
尚、図２（ｂ）に示すヒールカウンター７の後傾状態では、中敷前方部（前端１０ｆ及びその近傍）が靴底２の上面と接触し、中敷１０が前後方向の中央部で屈曲あるいは湾曲しているが、後傾状態における中敷１０の状態はこれに限定されず、中敷前方部が靴底２の上面と接触せずに該上面から浮き上がり、アッパー４の内面と接触した状態、あるいは、中敷前方部が靴底２の上面とアッパー４の内面との間の空間部に位置している状態もあり得る。このようなヒールカウンター７の後傾状態における中敷１０の状態の違いは、中敷１０の素材に影響されるところが大きく、中敷１０の素材を適宜選択することで、非着用状態において中敷１０を所望の状態とすることができる。中敷１０の素材は特に制限されず、従来用いられている種々のものを用いることができ、使用者の足裏の形状に好適に対応し得ると共に、歩行時の衝撃を緩和し得る所要のクッション性や所要の吸湿性等を備えているものが好ましく用いられる。中敷１０の素材として、具体的には例えば、合成樹脂、不織布、金属、発泡ゴム成形物等が挙げられる。尚、中敷１０に、布、紙、別素材の不織布等の補助部材を組み合わせて該中敷１０に吸湿性や適度な滑沢性を付与することは、本発明の本質に関わらないので適時利用することはかまわない。
【００２８】
図５には、本発明の靴の第２実施形態の片方（左足用）が示されている。第２実施形態については、前述した第１実施形態と異なる構成部分を主として説明し、同様の構成部分は同一の符号を付して説明を省略する。特に説明しない構成部分は、第１実施形態についての説明が適宜適用される。
【００２９】
第２実施形態の靴１Ｂにおいては、図５に示すように、踵下部ソール７１と靴底２との間に板バネ状弾性部材１１が配されている。板バネ状弾性部材１１は、平面視において靴１Ｂの前後方向に長い縦長の形状を有し、その前後方向（長手方向）の長さは、踵下部ソール７１の前後方向の長さよりも長く、靴底２（中敷１０）の前後方向の長さよりも短い。板バネ状弾性部材１１は、踵下部ソール７１の下面に縫着、接着剤等の接合手段により固定され、且つ踵下部ソール７１の前端７１ｆから前方に延出する前方延出部１１Ｅを有している。この板バネ状弾性部材１１の前方延出部１１Ｅは、靴１Ｂの他の構成部材（靴底２、アッパー４、中敷１０）には固定されていない。板バネ状弾性部材１１と靴底２との間には止着手段９が固定されており、このバネ状弾性部材１１の下面側に配されたループ面９１を靴底２の上面側に配されたフック面９２に止着させることにより、踵下部ソール７１を、バネ状弾性部材１１を介して、靴底２に脱着自在に止着可能になされている。
【００３０】
板バネ状弾性部材１１は、図５（ｂ）に示すように、自然状態（外力がかかっていない状態）で、その前後方向中央部が、該板バネ状弾性部材１１の前端１１ｆ及び後端１１ｒそれぞれよりも上方に位置するように湾曲した状態となり、該板バネ状弾性部材１１がその湾曲状態（自然状態）となることによって、図５（ｂ）に示す如きヒールカウンター７の後傾状態が実現するようになされている。そして、図５（ａ）に示すように、靴１Ｂの足入れ部５に足を収容してこれを着用したとき（ヒールカウンター７が正立状態にあるとき）に、板バネ状弾性部材１１に使用者の体重がかかることによって、板バネ状弾性部材１１の湾曲状態が解消され、板バネ状弾性部材１１の全体が靴底２に沿うような平坦状態となると共に、板バネ状弾性部材１１に、踵下部ソール７１（踵下部ソール７１の前端７１ｆ及びその近傍）を押し上げる付勢力が生じるようになされている。この板バネ状弾性部材１１の上向きの付勢力は、靴１Ｂの着用中は略そのまま維持され、板バネ状弾性部材１１は湾曲せずに平坦のままである。使用者が靴１Ｂを脱ぐと（使用者の足裏が中敷１０の上面から離れると）、板バネ状弾性部材１１を踏みつける力が弱まるため、板バネ状弾性部材１１は自然状態である湾曲状態に戻ろうとし、このとき踵下部ソール７１が前記付勢力により押し上げられ、それによってヒールカウンター７は回動して、図５（ｂ）に示す如き後傾状態となる。このように、第２実施形態の靴１Ｂによれば、靴１Ｂを履いた状態（ヒールカウンター７の正立状態）からこれを脱ぐ動作をするだけで、板バネ状弾性部材１１の作用により、ヒールカウンター７の後傾状態への移行が自動的になされるため、着用可能状態から非着用状態へ移行するための手間がかからず、操作性に優れる。
【００３１】
以上、本発明について説明したが、本発明は、前述した実施形態に制限されず適宜変更可能である。例えばアッパー４は、シューレースの如き締結具を備え、履き口３の近傍においてアッパー４の内側（使用者の足の内側面を覆う部分）及び外側（使用者の足の外側面を覆う部分）が足に密着するように締め付け可能になされていても良い。前述した一の実施形態のみが有する部分は、すべて適宜相互に利用できる。
【００３２】
また前記実施形態では、アッパー４は、使用者の足における足裏より上方に位置する部分の全体を被覆可能な袋状をなしていたが、該部分の一部のみを被覆するものであっても良く、アッパー前方部４１、アッパー中央部４２及びアッパー後方部４３のうちの一部のみを有していても良い。例えば、アッパー４は、アッパー前方部４１又はアッパー中央部４２は有するが、踵の背面及び左右両側面を覆うアッパー後方部４３は有していなくても良く、その場合、ヒールカウンター７は常時露出した状態となる。
【００３３】
また第１実施形態の靴１Ａにおいて、中敷１０は板バネ状弾性部材１１と同様の弾性を有していても良い。即ち、中敷１０は、自然状態で前後方向中央部が前後端部よりも上方に位置するように湾曲した状態となり、該中敷１０がその湾曲状態となることによって、図１（ｂ）及び図２（ｂ）に示す如きヒールカウンター７の後傾状態が実現するようになされていても良い。その場合、ヒールカウンター７の後傾状態において履き口３から足を挿入して靴１Ａを着用したときに、中敷１０の湾曲状態が解消されて該中敷１０の全体が靴底２に沿うような平坦状態となると共に、該中敷１０に、踵下部ソール７１を引き上げる付勢力が生じる。前述した本発明の実施形態に関し、更に以下の付記を開示する。
【００３４】
＜１＞
使用者の足を下方から支持する靴底と、該靴底の周縁又はその近傍から起立し、履き口から挿入された使用者の足を側方及び上方から被覆するアッパーとを備え、該靴底と該アッパーとで画成され、使用者の足を収容する足入れ部を有する靴であって、
前記足入れ部に、使用者の踵を包み込むヒールカウンターが配されており、該ヒールカウンターは、使用者の足裏と対向する踵下部ソールと、該踵下部ソールの周縁又はその近傍から起立した踵側壁部とを含んで構成されており、
前記靴底の後端に近接する前記ヒールカウンターの後方下端部が該靴底又は前記アッパーに連結され、その連結部を回動支軸として、前記踵下部ソールと前記踵側壁部とのなす角度を一定に保持したまま、該ヒールカウンターが回動可能に構成されており、
前記ヒールカウンターは、着用時には、前記踵下部ソールが前記靴底上にて該靴底と平行になって正立状態となり、非着用時には、該正立状態から該ヒールカウンターを回動させて前記踵側壁部を後傾させることで後傾状態となる靴。
＜２＞
前記踵下部ソールと前記靴底との間に、前記ヒールカウンターの正立状態において該踵下部ソールを該靴底に脱着自在に止着する止着手段が設けられている前記＜１＞記載の靴。
【００３５】
＜３＞
前記止着手段は面ファスナーである前記＜２＞記載の靴。
＜４＞
前記面ファスナーは樹脂性の釘頭構造を有する前記＜３＞記載の靴。
＜５＞
前記踵下部ソールの下面には、前記面ファスナーの一方の面であるループ面が設けられ、前記靴底の上面における該踵下部ソールの下面に対応する部分には、該ループ面と脱着可能に結合するフック面が設けられている前記＜３＞又は＜４＞記載の靴。
【００３６】
＜６＞
前記足入れ部に、着用時に前記靴底及び前記踵下部ソールと使用者の足裏との間に介在され、該足裏全体を被覆可能な大きさを有する中敷が配されている前記＜１＞〜＜５＞の何れか一項に記載の靴。
＜７＞
前記中敷は、前記ヒールカウンターに固定され、該ヒールカウンター以外の他の靴構成部材には固定されていない前記＜６＞記載の靴。
＜８＞
前記踵下部ソールと前記靴底との間に板バネ状弾性部材が配されており、該板バネ状弾性部材は、自然状態で前後方向中央部が前後端部よりも上方に位置するように湾曲した状態となり、該板バネ状弾性部材がその湾曲状態となることによって前記ヒールカウンターの後傾状態が実現するようになされており、
前記ヒールカウンターの後傾状態において前記履き口から足を挿入して着用したときに、前記板バネ状弾性部材の湾曲状態が解消されると共に、該板バネ状弾性部材に、該踵下部ソールを押し上げる付勢力が生じるようになされている前記＜１＞〜＜７＞の何れか一項に記載の靴。
【００３７】
＜９＞
前記ヒールカウンターの後傾状態は正立状態に比して前記履き口が拡大されている前記＜１＞〜＜８＞の何れか一項に記載の靴。
＜１０＞
前記アッパーは、使用者の踵の背面及び左右両側面を覆うアッパー後方部を有し、該アッパー後方部が、前記靴の前後方向に伸縮性を有している前記＜１＞〜＜９＞の何れか一項に記載の靴。
＜１１＞
前記アッパー後方部のみが伸縮性を有しており、前記アッパーの他の部分は伸縮性を有していない前記＜１＞〜＜１０＞の何れか一項に記載の靴。
【００３８】
＜１２＞
前記踵下部ソールは、使用者の足裏後端から土踏まずに至る前までの部位に対応し、足裏全体に対応する前記靴底よりも前後方向の長さが短い前記＜１＞〜＜１１＞の何れか一項に記載の靴。
＜１３＞
前記踵側壁部は、使用者の踵の背面に対応する部分を境界として、該踵の外側面を覆う外側壁部と該踵の内側面を覆う内側壁部とに分けられ、該外側壁部及び該内側壁部は、それぞれ、前側（つま先側）に向かうに従って前記踵下部ソールの上面から起立高さが漸次低くなる部分を有している前記＜１＞〜＜１２＞の何れか一項に記載の靴。
＜１４＞
前記正立状態の前記ヒールカウンターの側面視において、前記外側壁部及び前記内側壁部それぞれの上端面は、斜め上方に向かって凸の湾曲形状を有している前記＜１３＞記載の靴。
＜１５＞
前記正立状態の前記ヒールカウンターの側面視において、前記踵側壁部における、使用者の踵の背面に対応する部分及びその近傍は、後方に向かって凸の湾曲形状を有している前記＜１＞〜＜１４＞の何れか一項に記載の靴。
【００３９】
＜１６＞
前記ヒールカウンターの素材は、使用中に該ヒールカウンターが変形することのないような保形性に優れる素材である前記＜１＞〜＜１５＞の何れか一項に記載の靴。
＜１７＞
前記靴底における、使用者の土踏まずに対応する土踏まず対応部に、補強部材としてシャンクが配されている前記＜１＞〜＜１６＞の何れか一項に記載の靴。
＜１８＞
前記シャンクは、前記靴底よりも高剛性な材料から形成されている前記＜１７＞記載の靴。
【符号の説明】
【００４０】
１Ａ，１Ｂ  靴
２  靴底
３  履き口
４  アッパー
４１  アッパーの前方部
４２  アッパーの中央部
４３  アッパーの後方部
５  足入れ部
６  シャンク
７  ヒールカウンター
７ｒｄ  ヒールカウンターの後方下端部
７１  踵下部ソール
７２  踵側壁部
８  連結部（ヒールカウンターの回動支軸）
９  止着手段
９１  ループ面９１
９２  フック面９２
１０  中敷
１１  板バネ状弾性部材
【図１】
2015047266.tif 000003
【図２】
2015047266.tif 000004
【図３】
2015047266.tif 000005
【図４】
2015047266.tif 000006
【図５】
2015047266.tif 000007